(57)【特許請求の範囲】
【請求項１】
柱と梁からなる軸組構造に斜めに張設され両端が柱または梁に接合される芯材と、この芯材の両端を除く外周に該芯材を覆うように打設されたコンクリートとからなり、前記芯材とコンクリートの接触面が非付着状態にされ、該接触面にて芯材とコンクリートの相対変位のエネルギーが吸収される軸組構造のブレースにおいて、
前記軸組構造の開口を遮蔽する壁体を前記芯材を覆うコンクリートと一体に設け、
前記壁体が矩形状をなし、該矩形の壁体の一方の対角線に沿って芯材が配設され、他方の対角線上の端部近傍に、梁に対する固定部が設けられ、
該固定部は、梁と壁体の双方に設けた対の水平板状のブラケットを粘弾性体を介して積層するとともに、双方のブラケットに形成した長孔を直交状態で合わせてボルト締結する構成とされていて、該固定部により梁の水平変位が伝達されない状態で壁体が支持されていることを特徴とする軸組構造のブレース。
【発明の詳細な説明】
【０００１】
【発明の属する技術分野】
本発明は、芯材の外周を座屈防止用のコンクリートで覆った軸組構造のブレースに関する。
【０００２】
【従来の技術】
一般にブレースは、柱と梁からなる軸組構造に斜めに張設され、両端が柱または梁に接合されることで軸組強度を高める役目を果たす。このブレースの耐震強度向上を狙ったものの例として、芯材（鋼材）の両端を除く外周に、該芯材を覆うように座屈防止用のコンクリートを打設し、芯材とコンクリートの接触面を非付着状態として、前記接触面で芯材とコンクリートの相対変位のエネルギーを吸収するダンパ機能を果たすようにしたものがある。
【０００３】
【発明が解決しようとする課題】
ところで、軸組の開口を耐火壁（壁体）で遮蔽しようとする場合、ブレースとの取り合いが難しいが、特に前記のダンパ機能付きブレースの場合、外周にコンクリートがあるので、その施工に工夫を要するという問題があった。
【０００４】
本発明は、上記事情を考慮し、耐火壁を設ける場合の施工性向上を図った軸組構造のブレースを提供することを目的とする。
【０００５】
【課題を解決するための手段】
請求項１の発明は、柱と梁からなる軸組構造に斜めに張設され両端が柱または梁に接合される芯材と、この芯材の両端を除く外周に該芯材を覆うように打設されたコンクリートとからなり、前記芯材とコンクリートの接触面が非付着状態にされ、該接触面にて芯材とコンクリートの相対変位のエネルギーが吸収される軸組構造のブレースにおいて、前記軸組構造の開口を遮蔽する壁体を前記芯材を覆うコンクリートと一体に設け、前記壁体が矩形状をなし、該矩形の壁体の一方の対角線に沿って芯材が配設され、他方の対角線上の端部近傍に、梁に対する固定部が設けられ、該固定部は、梁と壁体の双方に設けた対の水平板状のブラケットを粘弾性体を介して積層するとともに、双方のブラケットに形成した長孔を直交状態で合わせてボルト締結する構成とされていて、該固定部により梁の水平変位が伝達されない状態で壁体が支持されていることを特徴とする。
【０００７】
【発明の実施の形態】
以下、本発明の実施形態を図面に基づいて説明する。
図１は本発明の実施形態の耐火壁付きブレース１０を設けた軸組構造の正面図であり、図２はその要部断面図である。この耐火壁付きブレース１０は、ダンパ機能を果たすブレース部分１１に耐火壁（壁体）１２を一体に設けた構造のものであり、軸組構造３の柱１と梁２で囲まれた開口部４の片側に、耐火壁１２が袖壁となる態様で配設されている。
【０００８】
ブレース部分１１は、図２に示すように、鋼材製の断面十字型の芯材１３を有している。この芯材１は、図１に示すように、両端を除く外周部がコンクリート１４で覆われたもので、下端が柱１と梁２の接合部にガセットプレート１６を介して接合されると共に、上端が梁２の長手方向中間部にガセットプレート１５を介して接合されている。この場合、コンクリート１４と芯材１３の接触面は、コンクリート２の打設時に芯材１の表面に粘弾性体１９（図２参照）を塗布したり張り付けたりすることで非付着状態とされており、コンクリート１４と芯材１３が軸線方向（長手方向）に僅かに相対変位可能となっている。従って、地震等により軸組の変形に伴って芯材１３が伸縮し、芯材１３とコンクリート１４に相対変位が生じた場合、接触面に配した粘弾性体１９が変形して地震時のエネルギーを吸収するようになっている。つまり、ダンパ機能を果たすようになっている。なお、粘弾性体１９を設けない場合でも、接触面が非付着状態になっていることで、摺動によるエネルギー吸収作用がある。
【０００９】
また、コンクリート１４の内部には、芯材１３に対して座屈拘束力を及ぼすための鉄筋１７が配設されている。この鉄筋１７は、芯材１３を取り囲むループ筋１７ａと、芯材１３の延長方向に沿って配された主筋１７ｂとからなる。耐火壁１２は、このブレース部分１１と一体にコンクリートで形成されている。耐火壁１２は、開口部４の形状に合わせた矩形状をなしており、耐火壁１２の鉄筋１８とブレース部１１の鉄筋１７は、耐火壁１２とブレース部分１１の結合強度を増すように組み合わされている。
【００１０】
芯材１３は、この耐火壁１２の一方の対角線に沿って配されており、耐火壁１２はこの芯材１３を介して軸組構造３に固定されている。また、それだけの支持では不安定であるから、耐火壁１２の他方の対角線上の端部の固定点（固定部）２０で梁２に固定されている。それ以外の箇所は、地震時の変形に対し敢えて不追従となるよう拘束されていない。
【００１１】
この固定点２０の構成について図３を用いて簡単に説明する。ここでは、梁２側に水平板状のブラケット２１が設けられ、耐火壁１２側に、梁側ブラケット２１の下面に上面が合わさるようにＬ型のブラケット２２が設けられている。そして、両方のブラケット２１、２２に形成した長孔２５、２６にボルト２４を通すことで、両方ブラケット２１、２２が互いに合わさった状態で連結されている。特にこの場合は、各ブラケット２１、２２の長孔２５、２６が互いに直交する方向に長く形成されていることにより、水平方向の振れ止めを果たすようになっている。つまり、梁２側が水平方向に変位しても、その影響が耐火壁１２側にできるだけ伝わらないようになっている。また、その効果を増すために、ブラケット２１、２２間には粘弾性体２３が介在されている。
【００１２】
このような耐火壁付きのブレース１０を用いることにより、これを軸組３の開口部４に取り付ければ、現場で耐火壁とブレースの取り合いを何ら工夫することなく、両者を同時に一体に施工することができる。
【００１３】
【発明の効果】
以上説明したように、請求項１の発明によれば、耐火壁とダンパ機能付きブレースを一体化したので、両者の取り付けに当たって、特別な取り合いの工夫を講じることなく、施工を完了することができ、施工性の向上を図ることができる。また、耐火壁の固定部を少なくし、その固定部は梁の水平変位を伝達しない状態で壁体を支持する構成であるので、本来のブレースのダンパ機能を損なうことがない。
【図面の簡単な説明】
【図１】  本発明の実施形態の耐火壁付きブレース１０を設けた軸組構造３の正面図である。
【図２】  図１のＩＩ−ＩＩ矢視断面図である。
【図３】  図１のＩＩＩ部の詳細図で、（ａ）は側断面図、（ｂ）は（ａ）図のＩＩＩｂ−ＩＩＩｂ矢視図である。
【符号の説明】
１…柱、２…梁、３…軸組、４…開口部、１０…耐火壁付きブレース、１１…ブレース部分、１２…耐火壁、１３…芯材、１４…コンクリート、２１，２２…ブラケット、２３…粘弾性体、２４…ボルト、２５，２６…長孔。
【図１】
0003637515.tif 000002
【図２】
0003637515.tif 000003
【図３】
0003637515.tif 000004